(57)【要約】【課題】一対の壁体同士を連結して引張力が付与される連結部材を省略できる壁体構造を提供すること。【解決手段】中詰材１３を有する壁体構造１であって、複数の壁体構成部材２が壁幅方向に連結された第１壁体８Ａと、前記第１壁体８Ａから壁厚方向に離間して立設され、複数の壁体構成部材が壁幅方向に連結された第２壁体８Ｂと、前記第１壁体８Ａ及び前記第２壁体８Ｂとの間に所定の深さまで充填される中詰材１３とを備え、前記第１壁体８Ａ及び前記第２壁体８Ｂの壁体同士を連結して引張力が付与される連結部材が省略されることを特徴とする。【選択図】図１
2018154997.tif 000002
【特許請求の範囲】
【請求項１】
中詰材を有する壁体構造であって、
複数の壁体構成部材が壁幅方向に連結された第１壁体と、
前記第１壁体から壁厚方向に離間して立設され、複数の壁体構成部材が壁幅方向に連結された第２壁体と、
前記第１壁体及び前記第２壁体との間に所定の深さまで充填される中詰材とを備え、
前記第１壁体及び前記第２壁体の壁体同士を連結して引張力が付与される連結部材が省略されること
を特徴とする壁体構造。
【請求項２】
前記第１壁体及び前記第２壁体は、地盤面から所定長だけ突出した突出部を各々有していること
を特徴とする請求項１に記載の壁体構造。
【請求項３】
前記第１壁体の前記地盤からの突出量と、前記第２壁体の前記地盤からの突出量とが異なること
を特徴とする請求項２に記載の壁体構造。
【請求項４】
前記第１壁体及び前記第２壁体のうち、水平外力の作用範囲がより広い載荷側壁体の前記突出量が大きいこと
を特徴とする請求項３に記載の壁体構造。
【請求項５】
前記第１壁体及び前記第２壁体は、地盤面より所定長だけ根入れした根入部を各々有していること
を特徴とする請求項１乃至４のいずれかに記載の壁体構造。
【請求項６】
前記中詰材の表面は、前記壁厚方向における断面形状が水平面であるであること
を特徴とする請求項１乃至５のいずれかに記載の壁体構造。
【請求項７】
前記中詰材の表面は、前記壁厚方向における断面形状が傾斜面であること
を特徴とする請求項１乃至５のいずれかに記載の壁体構造。
【請求項８】
前記中詰材の表面は、前記壁厚方向における断面形状が水平面及び傾斜面を含むこと
を特徴とする請求項１乃至５のいずれかに記載の壁体構造。
【請求項９】
前記壁体構成部材は、軸芯方向に沿った両側端部のうち、一方の側端部に雄継手を、他方の側端部に壁幅方向に隣り合った他の壁体構成部材の前記雄継手と嵌合する雌継手を各々有し、
前記雄継手及び前記雌継手の嵌合部の所定領域に止水処理が施されていること
を特徴とする請求項１乃至８のいずれかに記載の壁体構造。
【請求項１０】
前記第１壁体の剛性と、前記第２壁体の剛性とが異なること
を特徴とする請求項１乃至９のいずれかに記載の壁体構造。
【請求項１１】
前記壁体構成部材は、軸心方向における剛性が異なること
を特徴とする請求項１乃至１０のいずれかに記載の壁体構造。
【請求項１２】
前記壁体構成部材は、鋼矢板、鋼管矢板、コンクリート製矢板、及び、断面略矩形の箱型部材と該箱型部材の角部に設けられた継手部材とで構成される二重継手矢板、の何れかで構成されること
を特徴とする請求項１乃至１１のいずれかに記載の壁体構造。
【請求項１３】
前記壁体は、複数の鋼管杭、及び、前記複数の鋼管杭の間隙を閉塞する閉塞材で構成されること
を特徴とする請求項１乃至１１のいずれかに記載の壁体構造。
【発明の詳細な説明】
【技術分野】
【０００１】
本発明は、出水(洪水時、融雪時等)時に堤防を開削する工事（水門、樋管・樋門建設）や被災した堤防を補修・補強する工事において、確実な作業空間を確保するために用いられる仮締切構造物や岸壁、護岸、防波堤等の水域構造物、擁壁、土留壁等の陸域構造物で、前面側と背面側との境界に設けられる中詰材を有する壁体構造に関する。
【背景技術】
【０００２】
以下では、建設後数年以内に解体撤去することが必要となる仮締切構造（鋼矢板二重式構造）を中心に述べる。従来から、仮設的に用いられる仮締切構造や恒久的に用いられる水域構造物（護岸、岸壁、防波堤、導流堤等）・陸域構造物（擁壁、土留壁等）として使用する壁体構造として、複数の鋼矢板（壁体構造）が壁幅方向に連結された一対の壁体に、この一対の壁体同士をタイロッド等の連結部材により連結した後、この一対の壁体の間に中詰材を投入した壁体構造が提案されている。連結部材により一対の壁体同士を連結する場合、図２３に示すように、間隔を隔てて鋼矢板１４を地盤に立設して２列の鋼矢板壁１５を設け、この２列の鋼矢板壁１５の頭部近傍に腹起１６を設置した後、この２列の鋼矢板壁１５同士をタイロッド等の連結部材１７により連結した後、２列の鋼矢板壁１５の間に中詰材１８を充填して壁体構造１９を構成している。
【０００３】
また、特許文献１に開示された壁体構造には、外力に対する耐力及び止水性を向上させるために、傾斜鋼矢板隔壁を利用した二重鋼矢板壁構造物が開示されている。具体的には、特許文献１に開示された壁体構造は、２列の鋼矢板壁が間隔をおいて平行に打設され、各鋼矢板壁間に、鋼矢板壁面に対し交互に異なる方向に傾斜する多数の傾斜鋼矢板隔壁が鋼矢板壁長手方向に並べて配置され、各傾斜鋼矢板隔壁が溝形鋼矢板又は鋼管矢板等の凹凸を有する鋼矢板により構成されると共に、各傾斜鋼矢板隔壁の両端部が前記鋼矢板壁に連結され、鋼矢板壁と傾斜鋼矢板隔壁とにより囲まれた空間に砂、砂利等の中詰材料が充填された二重鋼矢板壁構造物を提供するものである。
【先行技術文献】
【特許文献】
【０００４】
【特許文献１】実開平２−３７９２８号公報
【発明の概要】
【発明が解決しようとする課題】
【０００５】
以下では、建設後数年以内に解体撤去することが必要となる仮締切構造として用いられる場合の二重鋼矢板壁構造の問題点を中心に述べる（恒久的に用いられる水域構造や陸域構造は建設後数年以内の解体撤去は行われない）。
【０００６】
従来の二重鋼矢板壁構造において、一対の壁体間を連結部材により連結する場合、載荷側（河川側）の壁体は、壁高（地盤面よりも上部）の中間部が外側に膨らんだ、いわゆる「はらみだした」形状に変形する。このため、載荷側（河川側）の壁体は、中間部から上部にかけて他方の壁体側に傾いた形状（傾斜面）となるため、洪水の流れが壁体を超えて遡上しやすい。また、同様に、流木などの漂流物や流下物も壁体を超えて遡上しやすい。このため、台風や大雨による増水や洪水から壁体構造の内側（川裏）に存在する財産や資産の確実な防護が困難になる懸念がある。
【０００７】
また、一対の壁体間を連結部材により連結する場合、載荷側（河川側）壁体の曲げモーメントは、壁高（地盤面よりも上部）の中間部で極値（凸状）を有するように分布する。すなわち、外側（河川側）が曲げ引っ張り状態となるように分布する。このため、流木などの漂流物・流下物の衝突によるダメージを受けやすいという問題がある。また、地盤面より上の部分は腐食量や摩耗量も多くなる。また、壁体構造の上部に車両等の上載荷重が載荷する場合、連結部材（通常、引張力に対して設計施工される）に曲げモーメントが発生し、連結部材の安全性に問題が生ずる懸念があった。
【０００８】
さらに、一対の壁体間を連結部材により連結する場合、使用する資材は、鋼矢板と中詰材以外に、タイ材、腹起（溝形鋼、Ｈ形鋼）、ブラケット、ボルト・ナット等、多種多様となる。このため、資材の調達を迅速・容易に行うことができず、早期に着工することが困難となる問題がある。施工においても、鋼矢板を打設後、鋼矢板にブラケットを溶接し、このブラケットに腹起を載置し、次にタイ材を配設後、中詰材を充填する。そして、中詰材を転圧等の手段で締め固めるが、タイ材が配設されているため、締め固め作業に支障をきたし、作業能率が低下し、締固め品質の確保も難しく、工期が長期化するという問題がある。
【０００９】
さらに、壁体構造を解体撤去する際には、タイ材の切断後、腹起・ブラケットの撤去を行い、中詰材を排出して鋼矢板を引き抜く、というように、多くの工種（工程）が必要となり、撤去作業に長期間を要する。なお、タイ材には、張力が作用しているため、タイ材頭部のナットを緩めるだけでの撤去作業は困難である。このため、現場実務では、タイ材は、切断したのち撤去されており、ほとんどの現場で、タイ材の再利用は行われていない。
【００１０】
以上のように、一対の壁体間を連結部材により連結した従来の壁体構造は、載荷側（河川側）の壁体が、壁高（地盤面よりも上部）の中間部が外側に膨らんだ、いわゆる「はらみだした」形状に変形するため、洪水の流れが壁体を超えて遡上しやすく、流木などの漂流物や流下物も壁体を超えて遡上しやすいという問題がある。また、流木などの漂流物・流下物の衝突によるダメージを受けやすく、地盤面より上の部分は腐食量や摩耗量も多くなるという問題がある。
【００１１】
さらに、一対の壁体間を連結部材により連結した従来の壁体構造は、使用する資材が多岐にわたり、かつ設置に手間を要するため、壁体構造完成までの工期が長くなっていた。このため、決壊した堤防の修復工事等、緊急を要する修復工事の着工が遅れる等の問題があった。また、修復工事の終了後の解体撤去にも時間を要するという問題があった。
【００１２】
そこで、本発明は、上述した問題点に鑑みて案出されたものであって、その目的とするところは、一対の壁体同士を連結して引張力が付与される連結部材を省略できる壁体構造を提供することにある。
【課題を解決するための手段】
【００１３】
第１発明の壁体構造は、中詰材を有する壁体構造であって、複数の壁体構成部材が壁幅方向に連結された第１壁体と、前記第１壁体から壁厚方向に離間して立設され、複数の壁体構成部材が壁幅方向に連結された第２壁体と、前記第１壁体及び前記第２壁体との間に所定の深さまで充填される中詰材とを備え、前記第１壁体及び前記第２壁体の壁体同士を連結して引張力が付与される連結部材が省略されることを特徴とする。
【００１４】
第２発明の壁体構造は、第１発明において、前記第１壁体及び前記第２壁体は、地盤面から所定長だけ突出した突出部を各々有していることを特徴とする。
【００１５】
第３発明の壁体構造は、第２発明において、前記第１壁体の前記地盤からの突出量と、前記第２壁体の前記地盤からの突出量とが異なることを特徴とする。
【００１６】
第４発明の壁体構造は、第３発明において、前記第１壁体及び前記第２壁体のうち、より広範囲に水平外力が作用することを特徴とする。
【００１７】
第５発明の壁体構造は、第１発明〜第４発明の何れかにおいて、前記第１壁体及び前記第２壁体は、地盤面より所定長だけ根入れした根入部を各々有していることを特徴とする。
【００１８】
第６発明の壁体構造は、第１発明〜第５発明の何れかにおいて、前記中詰材の表面は、前記壁厚方向における断面形状が水平面であるであることを特徴とする。
【００１９】
第７発明の壁体構造は、第１発明〜第５発明の何れかにおいて、前記中詰材の表面は、前記壁厚方向における断面形状が傾斜面であることを特徴とする。
【００２０】
第８発明の壁体構造は、第１発明〜第５発明の何れかにおいて、前記中詰材の表面は、前記壁厚方向における断面形状が水平面及び傾斜面を含むことを特徴とする。
【００２１】
第９発明の壁体構造は、第１発明〜第８発明の何れかにおいて、前記壁体構成部材は、軸芯方向に沿った両側端部のうち、一方の側端部に雄継手を、他方の側端部に壁幅方向に隣り合った他の壁体構成部材の前記雄継手と嵌合する雌継手を各々有し、前記雄継手及び前記雌継手の嵌合部の所定領域に止水処理が施されていることを特徴とする。
【００２２】
第１０発明の壁体構造は、第１発明〜第９発明の何れかにおいて、前記第１壁体の剛性と、前記第２壁体の剛性とが異なることを特徴とする。
【００２３】
第１１発明の壁体構造は、第１発明〜第１０発明の何れかにおいて、前記壁体構成部材は、軸心方向における剛性が異なることを特徴とする。
【００２４】
第１２発明の壁体構成部材は、第１発明〜第１１発明の何れかにおいて、鋼矢板、鋼管矢板、コンクリート製矢板、及び、断面略矩形の箱型部材と該箱型部材の角部に設けられた継手部材とで構成される二重継手矢板、の何れかで構成されることを特徴とする。
【００２５】
第１３発明の壁体構造は、第１発明〜第１１発明の何れかにおいて、前記壁体は、複数の鋼管杭、及び、前記複数の鋼管杭の間隙を閉塞する閉塞材で構成されることを特徴とする。
【発明の効果】
【００２６】
第１発明〜第１３発明によれば、一対の壁体同士を連結して引張力が付与される連結部材を省略できる。これにより、載荷側（河川側）の壁体は、壁高（地盤面よりも上部）の中間部が内側（中詰材側）に窪み、その上部がオーバーハングした、いわゆる「波返し」形状に変形するので、地盤面から上部にかけて河川側に傾いた形状となるため、洪水の流れは壁体を遡上しづらい。また、同様に、流木などの漂流物や流下物も壁体を超えて遡上しづらい。このため、台風や大雨による増水や洪水から壁体構造の内側（川裏）に存在する財産や資産をより確実に防護することができる。
【００２７】
また、地盤面より上部の曲げモーメントは比較的小さく、また、外側（河川側）とは反対側の中詰材側が曲げ引っ張り状態となるように分布する。そして、最大曲げモーメント（極値）は、地盤面より下の地盤中で発生するため、流木などの漂流物や流下物の衝突によるダメージを受けづらい利点を有する。また、地盤中は腐食量や摩耗量も少ない。
【００２８】
また、第１発明〜第１３発明によれば、タイ材、腹起（溝形鋼、Ｈ形鋼）、ブラケット、ボルト・ナット等の多種多様な資材を用意する必要がなくなる。このため、資材の調達を迅速・容易に行うことができ、早期に着工することができる。また、壁体構造の施工においても、鋼矢板を打設後、中詰材を充填して、締め固めをするだけでよい。このため、極めて、短工期で壁体構造を構築できる。また、タイ材が配設されていないため、中詰材の充填作業及び締固め作業が容易で、締固め品質も容易に確保できる。さらに、壁体構造を解体撤去する際には、中詰材を排出したのち、鋼矢板を引き抜くだけでよいので、極めて短期間に解体撤去作業を行うことができる。
【図面の簡単な説明】
【００２９】
【図１】本発明を適用した壁体構造を示す斜視図である。
【図２】（ａ）は、本発明を適用した壁体構造の第１実施形態の壁体構成部材（ハット形鋼矢板）を示す平面図であり、（ｂ）は、その正面図である。
【図３】（ａ）は、本発明を適用した壁体構造の第１実施形態の壁体構造（ハット形鋼矢板）を示す平面図であり、（ｂ）は、その正面図である。
【図４】（ａ）は、本発明を適用した壁体構造の第１実施形態の壁体構成部材が、連続的に雌継手が設置されない区間を有することを示す平面図であり、（ｂ）は、その正面図である。
【図５】（ａ）は、本発明を適用した壁体構造の第１実施形態の壁体構成部材が、断続的に雌継手が設置されない区間を有することを示す平面図であり、（ｂ）は、その正面図である。
【図６】（ａ）は、本発明を適用した壁体構造の第１実施形態の壁体構成部材が、軸芯方向に所定の範囲に透水孔を有することを示す平面図であり、（ｂ）は、その正面図である。
【図７】本発明を適用した壁体構造の第１実施形態の壁体構造であり、中詰材の上端位置が壁体構造の上端と略同一の壁体構造を示す側面図である。
【図８】本発明を適用した壁体構造の第１実施形態の壁体構造であり、中詰材の上端位置が壁体構造の上端より低い壁体を示す側面図である。
【図９】本発明を適用した壁体構造の第１実施形態の壁体構造であり、第１壁体の地盤からの突出量と第２壁体の地盤からの突出量とが異なる側面図である。
【図１０】本発明を適用した壁体構造の第１実施形態の壁体構造であり、中詰材表面の壁厚方向における断面形状が傾斜面であることを示す側面図である。
【図１１】本発明を適用した壁体構造の第１実施形態の壁体構造であり、中詰材表面の壁厚方向における断面形状が水平面及び傾斜面を含む形状であることを示す側面図である。
【図１２】本発明を適用した壁体構造の第１実施形態の壁体構造であり、第１壁体の地盤からの突出量と第２壁体の地盤からの突出量とが異なり、中詰材表面の壁厚方向における断面形状が水平面及び傾斜面を含む形状であることを示す側面図である。
【図１３】本発明を適用した壁体構造の第１実施形態の壁体構造であり、第１壁体及び第２壁体を構成する壁体構成部材の軸心方向（垂直方向）における剛性が異なることを示す断面図である。
【図１４】（ａ）は、本発明を適用した壁体構造の第２実施形態の壁体構造（Ｕ字形鋼矢板）を示す平面図であり、（ｂ）は、その正面図である。
【図１５】（ａ）は、本発明を適用した壁体構造の第３実施形態の壁体構造（コンクリート製矢板）を示す平面図であり、（ｂ）は、その正面図である。
【図１６】（ａ）は、本発明を適用した壁体構造の第４実施形態の壁体構造（二重継手矢板）を示す平面図であり、（ｂ）は、その正面図である。
【図１７】（ａ）は、本発明を適用した壁体構造の第５実施形態の壁体構造（鋼管杭）を示す平面図であり、（ｂ）は、その正面図である。
【図１８】（ａ）は、本発明を適用した壁体構造の第６実施形態の壁体構造（鋼管矢板）を示す平面図であり、（ｂ）は、その正面図である。
【図１９】（ａ）は、実施例に係る壁体構造の第１壁体（載荷側）の変位量のシミュレーション結果を示す図、（ｂ）は、実施例に係る壁体構造の第２壁体（非載荷側）の変位量のシミュレーション結果を示す図である。
【図２０】（ａ）は、実施例に係る壁体構造の第１壁体（載荷側）の曲げモーメントのシミュレーション結果を示す図、（ｂ）は、実施例に係る壁体構造の第２壁体（非載荷側）の曲げモーメントのシミュレーション結果を示す図である。
【図２１】（ａ）は、比較例に係る壁体構造の第１壁体（載荷側）の変位量のシミュレーション結果を示す図、（ｂ）は、比較例に係る壁体構造の第２壁体（非載荷側）の変位量のシミュレーション結果を示す図である。
【図２２】（ａ）は、比較例に係る壁体構造の第１壁体（載荷側）の曲げモーメントのシミュレーション結果を示す図、（ｂ）は、比較例に係る壁体構造の第２壁体（非載荷側）の曲げモーメントのシミュレーション結果を示す図である。
【図２３】（ａ）は、従来の連結部材（タイロッド及び腹起）を使用した壁体構造を示す平面図であり、（ｂ）は、その側面図である。
【発明を実施するための形態】
【００３０】
以下、本発明を適用した壁体構造１を実施するための形態について、図面を参照しながら詳細に説明する。
【００３１】
本発明を適用した壁体構造１は、図１に示すように、主に、仮設的に用いられる仮締切構造や恒久的に用いられる水域構造物（護岸、岸壁、防波堤、導流堤等）・陸域構造物（擁壁、土留壁等）で、前面側Ａと背面側Ｂとの境界に設けられる。本発明を適用した壁体構造１は、中詰材１３を有する壁体構造１である。本発明を適用した壁体構造１は、鋼管矢板、鋼管杭、コンクリート製矢板、ハット形鋼矢板、Ｕ形鋼矢板又は二重継手矢板等の複数の壁体構成部材２が壁幅方向Ｘに複数連結された第１壁体８Ａと、第１壁体８Ａから壁厚方向Ｚに離間して立設され、鋼管矢板、鋼管杭、コンクリート製矢板、ハット形鋼矢板、Ｕ形鋼矢板又は二重継手矢板等の複数の壁体構成部材２が壁幅方向Ｘに複数連結された第２壁体８Ｂと、一対の壁体を構成する第１壁体８Ａ及び第２壁体８Ｂとの間に所定の深さまで充填される中詰材１３とを備える。
【００３２】
また、本発明を適用した壁体構造１は、第１壁体８Ａ及び第２壁体８Ｂの壁体同士を連結して引張力が付与される連結部材が省略されている。また、第１壁体８Ａ及び第２壁体８Ｂは、地盤面より所定長だけ根入れして地盤８０に立設されており、この地盤８０に根入れされた根入部８Ｃと、地盤８０から所定長だけ突出した突出部８Ｄを各々有する。
【００３３】
複数の鋼管矢板、鋼管杭、コンクリート製矢板、ハット形鋼矢板、Ｕ形鋼矢板又は二重継手矢板は、これに限らず、地盤８０に埋め込まれるもの、又は、フーチングコンクリートに立設されるものとすることもできる。なお、以下の各実施形態の説明では、壁幅方向Ｘに隣り合った壁体構成部材２の互いに嵌合される継手のうち、先行して立設された壁体構成部材２の継手を雌継手とし、後行して立設される壁体構成部材２の継手を雄継手とするが、逆であっても構わない。また、地盤８０には、水底地盤、海底地盤が含まれるものとする。
【００３４】
最初に、本発明を適用した壁体構造１の第１実施形態について説明する。本発明を適用した壁体構造１の壁体構成部材２は、前面側Ａと背面側Ｂとの境界に設けられるものであって、図２に示すように、第１実施形態において、断面略ハット形状のハット形鋼矢板６が用いられる。
【００３５】
壁体構成部材２は、断面略ハット形状のハット形鋼矢板６が用いられるものである。ハット形鋼矢板６の壁体構成部材２は、フランジ部６１と、一対のウェブ部６２と、一対のアーム部６３と、雌継手６４と、雄継手６５を備える。一対のウェブ部６２は、ハット形鋼矢板６の壁幅方向Ｘでフランジ部６１の両端から傾斜させて連続して設けられる。一対のアーム部６３は、フランジ部６１と略平行になるように一対のウェブ部６２の各々から連続して設けられる。雌継手６４と雄継手６５は、一対のアーム部６３の各々の片端から連続して設けられる。
【００３６】
ハット形鋼矢板６は、軸芯方向Ｙに沿った両側端部のうち、壁幅方向Ｘで一方の側端部に雄継手６５を、壁幅方向Ｘで他方の側端部に雌継手６４を各々備える。複数の壁体構成部材２を壁幅方向Ｘに連結させて壁体８を構築する場合、互いに隣り合う一方のハット形鋼矢板６の雌継手６４に、他方のハット形鋼矢板６の雄継手６５を嵌合させるものである。
【００３７】
壁体構造１は、図３に示すように、複数のハット形鋼矢板６を壁幅方向Ｘに連結しながら地盤８０に立設することで壁厚方向Ｚに離間して構築された第１壁体８Ａ及び第２壁体８Ｂの間に、砂、砂利、ソイルセメント、スラグ等の中詰材１３を充填して構成される。
【００３８】
ハット形鋼矢板６は、図４に示すように、他方の側端部に雌継手６４が連続的に設置される第１区間Ｓ１、及び、雌継手６４が連続的に設置されない第２区間Ｓ２を有してもよい。図４に示す例では、雌継手６４が連続的に設置されない第２区間Ｓ２は、ハット形鋼矢板６の他方の側端部の下端側に配置されているが、上端側にも雌継手６４が連続的に設置されない第２区間Ｓ２を配置してもよい。
【００３９】
ハット形鋼矢板６は、図５に示すように、他方の側端部に有する第２区間Ｓ２を、雌継手６４が設けられない領域Ｓ３と雌継手６４が設けられた領域Ｓ４とが交互に存在する区間としてもよい。
【００４０】
ハット形鋼矢板６は、図６に示すように、軸芯方向Ｙで所定の範囲、例えば、地下水流が存在する範囲に設けられた透水孔６Ｈを有してもよい。
【００４１】
なお、本発明を適用した壁体構造１は、図７に示すように、第１壁体８Ａ及び第２壁体８Ｂの間に充填される中詰材１３は、その上端位置Ｐ１がハット形鋼矢板６の上端Ｐ２と略同じであってもよい。また、本発明を適用した壁体構造１は、図８に示すように、第１壁体８Ａ及び第２壁体８Ｂの間に充填される中詰材１３は、その上端位置Ｐ１がハット形鋼矢板６の上端Ｐ２より低くてもよい。
【００４２】
なお、図７に示す壁体８うち、地盤８０に根入れされた領域Ａは地盤反力を受ける梁として挙動し、中詰材１３が充填された領域Ｂは中詰材１３と一体となった梁として挙動する。また、図８に示す壁体８うち、地盤８０に根入れされた領域Ａは地盤反力を受ける梁として挙動し、中詰材１３が充填された領域Ｂは中詰材１３と一体となった梁として挙動し、中詰材１３より上部の領域Ｃは通常の梁として挙動する。
【００４３】
また、本発明を適用した壁体構造１は、図９に示すように、第１壁体８Ａの地盤８０からの突出量Ｌ１と、第２壁体８Ｂの地盤８０からの突出量Ｌ２とが異なるように構成されていてもよい。この場合、第１壁体８Ａ及び第２壁体８Ｂのうち、水圧、土圧等の水平外力が載荷される載荷側の壁体（図９では、第１壁体８Ａ）の突出量を大きくし、水位上昇に対応するようにしてもよい。
【００４４】
また、本発明を適用した壁体構造１は、図８に示すように、中詰材１３の表面１３Ｓは、壁厚方向Ｚにおける断面形状が水平面であってもよい。また、図１０に示すように、中詰材１３の表面１３Ｓは、壁厚方向Ｚにおける断面形状が傾斜面であってもよい。さらに、図１１に示すように、中詰材１３の表面１３Ｓは、壁厚方向Ｚにおける断面形状が水平面及び傾斜面を含む形状、例えば、台形状等の水平面と傾斜面とを組み合わせた形状であってもよい。
【００４５】
また、本発明を適用した壁体構造１は、図１２に示すように、水圧、土圧等の水平外力が載荷される載荷側の第１壁体８Ａの突出量が大きく構成され、かつ、中詰材１３の表面１３Ｓは、壁厚方向Ｚにおける断面形状が台形状等の水平面と傾斜面とを組み合わせた形状であってもよい。この場合、中詰材１３の表面１３Ｓは、水圧、土圧等の水平外力が載荷される載荷側の第１壁体８Ａ側における高さが、水圧、土圧等の水平外力が載荷されない非載荷側の第２壁体８Ｂ側における高さよりも高くし、水位上昇に対応するようにしてもよい。また、鋼矢板６の雄継手６５及び雌継手６４の嵌合部の所定領域８Ｅ、例えば、少なくとも中詰材１３の上面よりも上部に存在（位置）する嵌合部に吸水性膨潤止水材による止水処理を施してもよい。
【００４６】
また、本発明を適用した壁体構造１は、第１壁体８Ａの剛性と、第２壁体８Ｂの剛性とが異なっていてもよい。例えば、第１壁体８Ａに適用する鋼矢板の型式よりも、第２壁体８Ｂに適用する鋼矢板の型式を大きくしてもよい。
【００４７】
また、本発明を適用した壁体構造１は、第１壁体８Ａ及び第２壁体８Ｂを構成する壁体構成部材２は、軸心方向Ｙ（垂直方向）における剛性が異なっていてもよい。この場合、最大曲げモーメント（極値）が発生する地盤８０近傍の剛性を高めるために、図１３に示すように、第１壁体８Ａ及び第２壁体８Ｂを構成する壁体構成部材２の地盤８０付近の厚みを他の領域よりも厚くすることが好ましい。
【００４８】
次に、本発明を適用した壁体構造１の第２実施形態について説明する。なお、上述した構成要素と同一の構成要素については、同一の符号を付すことにより以下での説明を省略する。本発明を適用した壁体構造１は、図１４に示すように、第２実施形態において、断面略Ｕ形状の鋼矢板が用いられる。
【００４９】
第２実施形態の壁体構造１は、Ｕ形鋼矢板７の壁体構成部材２が壁幅方向Ｘに複数連結された第１壁体８Ａ及び第２壁体８Ｂと、壁厚方向Ｚに離間して立設された第１壁体８Ａ及び第２壁体８Ｂの間に充填される中詰材１３とを備える。また、第２実施形態の壁体構造１は、第１壁体８Ａ及び第２壁体８Ｂ同士を連結して引張力が付与される連結部材が省略されている。
【００５０】
壁体構成部材２は、断面略Ｕ形状のＵ形鋼矢板７が用いられるものである。Ｕ形鋼矢板７の壁体構成部材２は、フランジ部７１と、一対のウェブ部７２と、雌継手７４と、雄継手７５とを備える。一対のウェブ部７２は、Ｕ形鋼矢板７の幅方向Ｘでフランジ部７１の両端から傾斜させて連続して設けられる。雌継手７４と雄継手７５は、一対のウェブ部７２の各々の片端から連続して設けられる。
【００５１】
Ｕ形鋼矢板７は、軸芯方向Ｙに沿った両側端部のうち、壁幅方向Ｘで一方の側端部に雄継手７５を、壁幅方向Ｘで他方の側端部に雌継手７４を各々備える。複数の壁体構成部材２を壁幅方向Ｘに連結させて壁体８を構築する場合、互いに隣り合う一方のＵ形鋼矢板７の雌継手７４に、他方のＵ形鋼矢板７の雄継手７５を嵌合させるものとなる。
【００５２】
壁体構造１は、複数のＵ形鋼矢板７を壁幅方向Ｘに連結しながら地盤８０に立設することで壁厚方向Ｚに離間して構築された第１壁体８Ａ及び第２壁体８Ｂの間に、砂、砂利、ソイルセメント、スラグ等の中詰材１３を充填して構成される。
【００５３】
なお、第１実施形態と同様に、Ｕ形鋼矢板７は、他方の側端部に雌継手７４が連続的に設置される第１区間、及び、雌継手７４が連続的に設置されない第２区間を有してもよい。また、Ｕ形鋼矢板７は、他方の側端部の上端側にも雌継手７４が連続的に設置されない第２区間を配置してもよい。さらに、Ｕ形鋼矢板７は、他方の側端部に有する第２区間を、雌継手７４が設けられない領域と雌継手７４が設けられた領域とが交互に存在する区間としてもよい。
【００５４】
また、第１実施形態と同様に、Ｕ形鋼矢板７は、軸芯方向Ｙで所定の範囲に設けられた透水孔を有してもよい。また、第１壁体８Ａ及び第２壁体８Ｂの間に充填される中詰材１３は、その上端位置がＵ形鋼矢板７の上端と略同じであってもよいし、低くてもよい。
【００５５】
また、第１実施形態と同様に、第１壁体８Ａの地盤８０からの突出量と、第２壁体８Ｂの地盤８０からの突出量とが異なるように構成されていてもよい。また、中詰材１３の表面は、壁厚方向Ｚにおける断面形状が水平面若しくは傾斜面であってもよい。また、中詰材１３の表面１３Ｓは、壁厚方向Ｚにおける断面形状が水平面及び傾斜面を含む形状、例えば、台形状等の水平面と傾斜面とを組み合わせた形状であってもよい。
【００５６】
また、第１実施形態と同様に、水圧、土圧等の水平外力が載荷される載荷側の第１壁体８Ａの突出量が大きく構成され、かつ、中詰材１３の表面は、壁厚方向Ｚにおける断面形状が台形状等の水平面と傾斜面とを組み合わせた形状であってもよい。また、Ｕ形鋼矢板７の雄継手７５及び雌継手７４の嵌合部の所定領域、例えば、少なくとも中詰材１３の上面よりも上部に存在（位置）する嵌合部に吸水性膨潤止水材による止水処理を施してもよい。
【００５７】
また、第１実施形態と同様に、第１壁体８Ａの剛性と、第２壁体８Ｂの剛性とが異なっていてもよい。また、第１実施形態と同様に、第１壁体８Ａ及び第２壁体８Ｂを構成する壁体構成部材２は、軸心方向Ｙ（垂直方向）における剛性が異なっていてもよい。
【００５８】
次に、本発明を適用した壁体構造１の第３実施形態について説明する。なお、上述した構成要素と同一の構成要素については、同一の符号を付すことにより以下での説明を省略する。本発明を適用した壁体構造１は、図１５に示すように、第３実施形態において、断面略矩形状のコンクリート製矢板５が用いられる。
【００５９】
第３実施形態の壁体構造１は、コンクリート製矢板５の壁体構成部材２が壁幅方向Ｘに複数連結された第１壁体８Ａ及び第２壁体８Ｂと、壁厚方向Ｚに離間して立設された第１壁体８Ａ及び第２壁体８Ｂの間に充填される中詰材１３とを備える。また、第３実施形態の壁体構造１は、第１壁体８Ａ及び第２壁体８Ｂ同士を連結して引張力が付与される連結部材が省略されている。
【００６０】
壁体構成部材２は、断面略矩形状のコンクリート製矢板５が用いられるものである。コンクリート製矢板５の壁体構成部材２は、例えば、中央部に凹部５１（窪み部）が軸心方向Ｙに沿って設けられた板状のコンクリート壁である。また、コンクリート製矢板５は、凹部５１（窪み部）の上部に吊り下げ用のワイヤ、綱、ロープ等を通すための２つのつり孔５４を有している。さらに、コンクリート製矢板５は、図１５に向かって右側（雄継手５２が設けられた側）の先端部に切欠部５５が設けられている。
【００６１】
コンクリート製矢板５は、軸芯方向Ｙに沿った両側端部のうち、壁幅方向Ｘで一方の側端部に雄継手５２を、壁幅方向Ｘで他方の側端部に雌継手５３を各々備える。複数の壁体構成部材２を壁幅方向Ｘに連結させて壁体８を構築する場合、互いに隣り合う一方のコンクリート製矢板５の雌継手５３に、他方のコンクリート製矢板５の雄継手５２を嵌合させるものとなる。
【００６２】
壁体構造１は、複数のコンクリート製矢板５を壁幅方向Ｘに連結しながら地盤８０に立設することで壁厚方向Ｚに離間して構築された第１壁体８Ａ及び第２壁体８Ｂの間に、砂、砂利、ソイルセメント、スラグ等の中詰材１３を充填して構成される。
【００６３】
なお、第１実施形態と同様に、コンクリート製矢板５は、他方の側端部に雌継手５３が連続的に設置される第１区間、及び、雌継手５３が連続的に設置されない第２区間を有してもよい。また、コンクリート製矢板５は、他方の側端部の上端側にも雌継手５３が連続的に設置されない第２区間を配置してもよい。さらに、コンクリート製矢板５は、他方の側端部に有する第２区間を、雌継手５３が設けられない領域と雌継手５３が設けられた領域とが交互に存在する区間としてもよい。
【００６４】
また、第１実施形態と同様に、コンクリート製矢板５は、軸芯方向Ｙで所定の範囲に設けられた透水孔を有してもよい。また、第１壁体８Ａ及び第２壁体８Ｂの間に充填される中詰材１３は、その上端位置がコンクリート製矢板５の上端と略同じであってもよいし、低くてもよい。
【００６５】
また、第１実施形態と同様に、第１壁体８Ａの地盤８０からの突出量と、第２壁体８Ｂの地盤８０からの突出量とが異なるように構成されていてもよい。また、中詰材１３の表面は、壁厚方向Ｚにおける断面形状が水平面若しくは傾斜面であってもよい。また、中詰材１３の表面１３Ｓは、壁厚方向Ｚにおける断面形状が水平面及び傾斜面を含む形状、例えば、台形状等の水平面と傾斜面とを組み合わせた形状であってもよい。
【００６６】
また、第１実施形態と同様に、水圧、土圧等の水平外力が載荷される載荷側の第１壁体８Ａの突出量が大きく構成され、かつ、中詰材１３の表面は、壁厚方向Ｚにおける断面形状が台形状等の水平面と傾斜面とを組み合わせた形状であってもよい。また、コンクリート製矢板５の雄継手５５及び雌継手５４の嵌合部の所定領域、例えば、中詰材１３の上面よりも上部に存在（位置）する嵌合部に吸水性膨潤止水材による止水処理を施してもよい。
【００６７】
また、第１実施形態と同様に、第１壁体８Ａの剛性と、第２壁体８Ｂの剛性とが異なっていてもよい。また、第１実施形態と同様に、第１壁体８Ａ及び第２壁体８Ｂを構成する壁体構成部材２は、軸心方向Ｙ（垂直方向）における剛性が異なっていてもよい。
【００６８】
次に、本発明を適用した壁体構造１の第４実施形態について説明する。なお、上述した構成要素と同一の構成要素については、同一の符号を付すことにより以下での説明を省略する。本発明を適用した壁体構造１は、図１６に示すように、第４実施形態において、断面略矩形の箱型部材９１と、この箱型部材９１の角部に設けられた直線形矢板９２とで構成される二重継手矢板９が用いられる。
【００６９】
第４実施形態の壁体構造１は、二重継手矢板９の壁体構成部材２が壁幅方向Ｘに複数連結された第１壁体８Ａ及び第２壁体８Ｂと、壁厚方向Ｚに離間して立設された第１壁体８Ａ及び第２壁体８Ｂの間に充填される中詰材１３とを備える。また、第４実施形態の壁体構造１は、第１壁体８Ａ及び第２壁体８Ｂ同士を連結して引張力が付与される連結部材が省略されている。
【００７０】
壁体構成部材２は、断面略矩形の箱型部材９１と、この箱型部材９１の角部に設けられた直線形矢板９２とで構成される二重継手矢板９が用いられるものである。二重継手矢板９は、第４実施形態において、本体部として、断面略矩形状の箱形部材９１が用いられる。このとき、箱形部材９１は、図１６に示すように、略平板状に形成された一対の短辺部９１ａと一対の長辺部９１ｂとで四方が取り囲まれる。
【００７１】
箱形部材９１は、一対の短辺部９１ａと一対の長辺部９１ｂとの境界となる４つの角部の各々に、略平板状に形成された鋼製等の直線形矢板９２が取り付けられる。直線形矢板９２は、壁幅方向Ｘの一端側に雌継手９３又は雄継手９４が形成されるとともに、壁幅方向Ｘの他端側に雌継手９３又は雄継手９４が形成されないものとなる。直線形矢板９２は、雌継手９３又は雄継手９４が形成されない他端側を、箱形部材９１の４つの角部の各々に溶接接合等させることで、雌継手９３又は雄継手９４が形成された一端側を、壁幅方向Ｘの両側に延びて配置させるものとなる。
【００７２】
直線形矢板９２は、箱形部材９１の角部で４箇所に取り付けられるものであり、壁厚方向Ｚの正面側Ａ及び背面側Ｂの各々で、直線形矢板９２の一端側の雌継手９３又は雄継手９４が壁幅方向Ｘに延びて配置されることで、壁厚方向Ｚの正面側Ａ及び背面側Ｂで一対となった雌継手９３又は雄継手９４により、本体部となる箱形部材９１に二重継手が設けられるものとなる。
【００７３】
二重継手矢板９は、軸芯方向Ｙに沿った両側端部のうち、壁幅方向Ｘで一方の側端部に一対の雄継手９４を、壁幅方向Ｘで他方の側端部に一対の雌継手９３を各々備える。複数の壁体構成部材２を壁幅方向Ｘに連結させて壁体８を構築する場合、互いに隣り合う二重継手矢板９の一方の一対の雌継手９３に、他方の二重継手矢板９の一対の雄継手９４を嵌合させるものとなる。
【００７４】
壁体構造１は、複数の二重継手矢板９を壁幅方向Ｘに連結しながら地盤８０に立設することで壁厚方向Ｚに離間して構築された第１壁体８Ａ及び第２壁体８Ｂの間に、砂、砂利ソイルセメント、スラグ等の中詰材１３を充填して構成される。
【００７５】
なお、第１実施形態と同様に、二重継手矢板９は、他方の側端部に雌継手９３が連続的に設置される第１区間、及び、雌継手９３が連続的に設置されない第２区間を有してもよい。また、二重継手矢板９は、他方の側端部の上端側にも雌継手９３が連続的に設置されない第２区間を配置してもよい。さらに、二重継手矢板９は、他方の側端部に有する第２区間を、雌継手９３が設けられない領域と雌継手９３が設けられた領域とが交互に存在する区間としてもよい。
【００７６】
また、第１実施形態と同様に、二重継手矢板９は、軸芯方向Ｙで所定の範囲に設けられた透水孔を有してもよい。また、第１壁体８Ａ及び第２壁体８Ｂの間に充填される中詰材１３は、その上端位置が二重継手矢板９の上端と略同じであってもよいし、低くてもよい。
【００７７】
また、第１実施形態と同様に、第１壁体８Ａの地盤８０からの突出量と、第２壁体８Ｂの地盤８０からの突出量とが異なるように構成されていてもよい。また、中詰材１３の表面は、壁厚方向Ｚにおける断面形状が水平面若しくは傾斜面であってもよい。また、中詰材１３の表面１３Ｓは、壁厚方向Ｚにおける断面形状が水平面及び傾斜面を含む形状、例えば、台形状等の水平面と傾斜面とを組み合わせた形状であってもよい。
【００７８】
また、第１実施形態と同様に、水圧、土圧等の水平外力が載荷される載荷側の第１壁体８Ａの突出量が大きく構成され、かつ、中詰材１３の表面は、壁厚方向Ｚにおける断面形状が台形状等の水平面と傾斜面とを組み合わせた形状であってもよい。また、二重継手矢板９の雄継手９４及び雌継手９３の嵌合部の所定領域、例えば、中詰材１３の上面よりも上部に存在（位置）する嵌合部に吸水性膨潤止水材による止水処理を施してもよい。
【００７９】
また、第１実施形態と同様に、第１壁体８Ａの剛性と、第２壁体８Ｂの剛性とが異なっていてもよい。また、第１実施形態と同様に、第１壁体８Ａ及び第２壁体８Ｂを構成する壁体構成部材２は、軸心方向Ｙ（垂直方向）における剛性が異なっていてもよい。
【００８０】
次に、本発明を適用した壁体構造１の第５実施形態について説明する。なお、上述した構成要素と同一の構成要素については、同一の符号を付すことにより以下での説明を省略する。本発明を適用した壁体構造１は、図１７に示すように、第５実施形態において、複数の鋼管杭４と、複数の鋼管杭４の間隙を閉塞する閉塞材４２とが用いられる。
【００８１】
第５実施形態の壁体構造１は、壁幅方向Ｘに所定の間隔を空けて立設された複数の鋼管杭４と、複数の鋼管杭４の間隙を閉塞するようにして立設された閉塞材４２とで構成される第１壁体８Ａ及び第２壁体８Ｂと、壁厚方向Ｚに離間して立設された第１壁体８Ａ及び第２壁体８Ｂの間に充填される中詰材１３とを備える。また、第５実施形態の壁体構造１は、第１壁体８Ａ及び第２壁体８Ｂ同士を連結して引張力が付与される連結部材が省略されている。
【００８２】
壁体構成部材２は、複数の鋼管杭４と、複数の鋼管杭４の間隙を閉塞する閉塞材４２とが用いられるものである。壁体構造１は、任意の間隔で壁幅方向Ｘに離間して立設された複数の鋼管杭４、及び、隣り合う鋼管杭４の間隙を閉塞するように立設されたアングル材（山形鋼）等の閉塞材４２で構成される。また、第１壁体８Ａ及び第２壁体８Ｂが壁厚方向Ｚに離間して立設された第１壁体８Ａ及び第２壁体８Ｂの間に、砂、砂利、ソイルセメント、スラグ等の中詰材１３を充填して構成される。
【００８３】
なお、第１実施形態と同様に、鋼管杭４及び閉塞材４２の少なくとも一方に、軸芯方向Ｙで所定の範囲に設けられた透水孔を有してもよい。また、第１壁体８Ａ及び第２壁体８Ｂの間に充填される中詰材１３は、その上端位置が鋼管杭４及び閉塞材４で構成される壁体８の上端と略同じであってもよいし、低くてもよい。
【００８４】
また、第１実施形態と同様に、第１壁体８Ａの地盤８０からの突出量と、第２壁体８Ｂの地盤８０からの突出量とが異なるように構成されていてもよい。また、中詰材１３の表面は、壁厚方向Ｚにおける断面形状が水平面若しくは傾斜面であってもよい。また、中詰材１３の表面１３Ｓは、壁厚方向Ｚにおける断面形状が水平面及び傾斜面を含む形状、例えば、台形状等の水平面と傾斜面とを組み合わせた形状であってもよい。
【００８５】
また、第１実施形態と同様に、水圧、土圧等の水平外力が載荷される載荷側の第１壁体８Ａの突出量が大きく構成され、かつ、中詰材１３の表面は、壁厚方向Ｚにおける断面形状が台形状等の水平面と傾斜面とを組み合わせた形状であってもよい。また、鋼管杭４と閉塞材４２とが当接する当接部の所定領域、例えば、中詰材１３の上面よりも上部に存在（位置）する当接部に吸水性膨潤止水材による止水処理を施してもよい。
【００８６】
また、第１実施形態と同様に、第１壁体８Ａの剛性と、第２壁体８Ｂの剛性とが異なっていてもよい。また、第１実施形態と同様に、第１壁体８Ａ及び第２壁体８Ｂを構成する壁体構成部材２は、軸心方向Ｙ（垂直方向）における剛性が異なっていてもよい。
【００８７】
次に、本発明を適用した壁体構造１の第６実施形態について説明する。なお、上述した構成要素と同一の構成要素については、同一の符号を付すことにより以下での説明を省略する。本発明を適用した壁体構造１は、図１８に示すように、第６実施形態において、鋼管矢板３が用いられる。
【００８８】
第６実施形態の壁体構造１は、鋼管矢板３の壁体構成部材２が壁幅方向Ｘに複数連結された第１壁体８Ａ及び第２壁体８Ｂと、壁厚方向Ｚに離間して立設された第１壁体８Ａ及び第２壁体８Ｂの間に充填される中詰材１３とを備える。また、第６実施形態の壁体構造１は、第１壁体８Ａ及び第２壁体８Ｂ同士を連結して引張力が付与される連結部材が省略されている。
【００８９】
壁体構成部材２は、断面略円形状の鋼管矢板３が用いられるものである。鋼管矢板３の壁体構成部材２は、筒状本体部３１と、筒状本体部３１の対向する位置に設けられた雌継手３２及び雄継手３３を備える。鋼管矢板３は、軸芯方向Ｙに沿った両側端部のうち、壁幅方向Ｘで一方の側端部に雄継手３３を、壁幅方向Ｘで他方の側端部に雌継手３２を各々備える。複数の壁体構成部材２を壁幅方向Ｘに連結させて壁体８を構築する場合、互いに隣り合う鋼管矢板３の一方の雌継手３２に、他方の鋼管矢板３の雄継手３３を嵌合させるものとなる。
【００９０】
壁体構造１は、複数の鋼管矢板３を壁幅方向Ｘに連結しながら地盤８０に立設することで壁厚方向Ｚに離間して構築された第１壁体８Ａ及び第２壁体８Ｂの間に、砂、砂利、ソイルセメント、スラグ等の中詰材１３を充填して構成される。
【００９１】
なお、第１実施形態と同様に、鋼管矢板３は、他方の側端部に雌継手３２が連続的に設置される第１区間、及び、雌継手３２が連続的に設置されない第２区間を有してもよい。また、鋼管矢板３は、他方の側端部の上端側にも雌継手３２が連続的に設置されない第２区間を配置してもよい。さらに、鋼管矢板３は、他方の側端部に有する第２区間を、雌継手３２が設けられない領域と雌継手３２が設けられた領域とが交互に存在する区間としてもよい。
【００９２】
また、第１実施形態と同様に、鋼管矢板３は、軸芯方向Ｙで所定の範囲に設けられた透水孔を有してもよい。また、第１壁体８Ａ及び第２壁体８Ｂの間に充填される中詰材１３は、その上端位置が鋼管矢板３の上端と略同じであってもよいし、低くてもよい。
【００９３】
また、第１実施形態と同様に、第１壁体８Ａの地盤８０からの突出量と、第２壁体８Ｂの地盤８０からの突出量とが異なるように構成されていてもよい。また、中詰材１３の表面は、壁厚方向Ｚにおける断面形状が水平面若しくは傾斜面であってもよい。また、中詰材１３の表面１３Ｓは、壁厚方向Ｚにおける断面形状が水平面及び傾斜面を含む形状、例えば、台形状等の水平面と傾斜面とを組み合わせた形状であってもよい。
【００９４】
また、第１実施形態と同様に、水圧、土圧等の水平外力が載荷される載荷側の第１壁体８Ａの突出量が大きく構成され、かつ、中詰材１３の表面は、壁厚方向Ｚにおける断面形状が台形状等の水平面と傾斜面とを組み合わせた形状であってもよい。また、鋼管矢板３の雄継手３３及び雌継手３２の嵌合部の所定領域、例えば、中詰材１３の上面よりも上部に存在（位置）する嵌合部に吸水性膨潤止水材による止水処理を施してもよい。
【００９５】
また、第１実施形態と同様に、第１壁体８Ａの剛性と、第２壁体８Ｂの剛性とが異なっていてもよい。また、第１実施形態と同様に、第１壁体８Ａ及び第２壁体８Ｂを構成する壁体構成部材２は、軸心方向Ｙ（垂直方向）における剛性が異なっていてもよい。
【実施例】
【００９６】
発明者らは、本発明を適用した壁体構造、すなわちタイロッド等の連結部材を省略した場合（実施例）と、本発明を適用しない壁体構造、すなわちタイロッド等の連結部材で第１壁体（載荷側）と第２壁体（非載荷側）とを連結した場合（比較例）とについて、軸心方向Ｙにおける壁体の変位量及び曲げモーメントをシミュレーションした。
【００９７】
なお、シミュレーショにあたっては、第１壁体を水圧（洪水などに起因）等の水平外力が載荷される載荷側壁体とし、第２壁体を水平外力が載荷されていない非載荷側壁体としている。また、第１壁体及び第２壁体を構成する壁体構成部材には、鋼矢板もしくは鋼管矢板が用いられ、第１壁体及び第２壁体間には中詰材が充填されており、第１壁体に洪水に起因する水圧等の水平外力が載荷されているものとして壁体の変位量及び曲げモーメントをシミュレーションした。すなわち、以下で説明する図１９〜２２に示す壁体の変位量及び曲げモーメントのシミュレーション結果は、中詰材の投入・充填による影響と、洪水に起因する水圧等の水平外力による影響とが合成されたものとなっている。
【００９８】
図１９（ａ）は、実施例に係る壁体構造の第１壁体（載荷側）の変位量のシミュレーション結果を示す図、図１９（ｂ）は、実施例に係る壁体構造の第２壁体（非載荷側）の変位量のシミュレーション結果を示す図である。
【００９９】
図１９に示すシミュレーション結果からは、第１壁体（載荷側）及び第２壁体（非載荷側）の変形の分布モードは、壁体天端（上端）の変位が最も大きく、下端に行くにしたがって漸減していることがわかった。また、第１壁体（載荷側）及び第２壁体（非載荷側）の変形形状が波返し（オーバーハング）のような変形状況となることがわかった。
【０１００】
図２０（ａ）は、実施例に係る壁体構造の第１壁体（載荷側）の曲げモーメントのシミュレーション結果を示す図、図２０（ｂ）は、実施例に係る壁体構造の第２壁体（非載荷側）の曲げモーメントのシミュレーション結果を示す図である。
【０１０１】
図２０に示すシミュレーション結果からは、第１壁体（載荷側）と第２壁体（非載荷側）の曲げモーメントの分布モードは、第１壁体（載荷側）及び第２壁体（非載荷側）とも、中詰材側が曲げ引っ張り状態となるように分布することがわかった。また、第１壁体（載荷側）及び第２壁体（非載荷側）とも、壁体天端（上端）から下端に行くに従って急増するように曲げモーメントが分布することがわかった。さらに、第１壁体（載荷側）及び第２壁体（非載荷側）とも、地盤中において、地盤面から若干下がった位置で曲げモーメントの極値（最大値）を有することがわかった。
【０１０２】
図２１（ａ）は、比較例に係る壁体構造の第１壁体（載荷側）の変位量のシミュレーション結果を示す図、図２１（ｂ）は、比較例に係る壁体構造の第２壁体（非載荷側）の変位量のシミュレーション結果を示す図である。
【０１０３】
図２１に示すシミュレーション結果からは、第１壁体（載荷側）と第２壁体（載荷側）の変位の分布のモードは、異なることがわかった。また、第１壁体（載荷側）の天端は中詰材側に変位し、地盤面に行くに従って中詰材とは逆側（河川側（堤外側））にはらみだすように変位し、地盤面近傍で極値をとることがわかった。また、第２壁体（非載荷側）の天端は堤内側に変位し、地盤面に行くに従って中詰材とは逆側（堤内側）にはらみだすように変位し、地盤面より上の部位で極値をとることがわかった。
【０１０４】
図２２（ａ）は、比較例に係る壁体構造の第１壁体（載荷側）の曲げモーメントのシミュレーション結果を示す図、図２２（ｂ）は、比較例に係る壁体構造の第２壁体（非載荷側）の曲げモーメントのシミュレーション結果を示す図である。
【０１０５】
図２２に示すシミュレーション結果からは、第１壁体（載荷側）は、地中部曲げモーメント第一ゼロ点とタイ材取付点近傍の間の区間で、中詰材と逆側（河川側（堤外側））にはらみだすような曲げモーメントの分布モード（壁体の外側が曲げ引っ張り状態）を呈することがわかった。また、第２壁体（非載荷側）は、地中部曲げモーメント第一ゼロ点とタイ材取付点近傍の間の区間で、中詰材と逆側（堤内側）にはらみだすような曲げモーメントの分布モード（壁体の外側が曲げ引っ張り状態）を呈することがわかった。また、第一壁体（載荷側）および第２壁体（非載荷側）は、地盤中（地盤面から下）では、中詰材側にはらみだすような曲げモーメントの分布モードを呈し、かつ極値を有することがわかった。
【０１０６】
以上のように、本発明を適用した壁体構造１は、図１、７〜１８に示すように、各々複数の壁体構成部材２が壁幅方向Ｘに連結された第１壁体８Ａと、第１壁体８Ａから壁厚方向Ｚに離間して立設され、複数の壁体構成部材２が壁幅方向Ｘに連結された第２壁体と、第１壁体８Ａ及び第２壁体８Ｂとの間に所定の深さまで充填される中詰材１３とを備える。壁体構造１は、第１壁体８Ａ及び第２壁体８Ｂの壁体同士を連結して引張力が付与される連結部材が省略されている。
【０１０７】
これにより、載荷側（河川側）の壁体は、軸芯方向（縦方向）の中間部が窪んだ、いわゆる「波返し」形状に変形するので、地盤面から上部にかけて河川側に傾いた形状となるため洪水の流れは壁体を遡上しづらくなる。また、同様に、流木などの漂流物や流下物も壁体を超えて遡上しづらくなる。このため、台風や大雨による増水や洪水から壁体構造の内側（堤内側）に存在する財産や資産をより確実に防護することができる。
【０１０８】
また、本発明を適用した壁体構造１は、地盤面より上部の曲げモーメントは比較的小さく、また、外側（河川側）とは反対側の中詰材１３側が曲げ引っ張り状態となるように分布する。そして、最大曲げモーメント（極値）は、地盤面より下の地盤中で発生するため、流木などの漂流物や流下物の衝突によるダメージを受けづらい利点を有する。また、地盤中は腐食量や摩耗量も少ない。
【０１０９】
また、本発明を適用した壁体構造１は、タイ材、腹起（溝形鋼、Ｈ形鋼）、ブラケット、ボルト・ナット等の多種多様な資材を用意する必要がなくなる。このため、資材の調達を迅速・容易に行うことができ、早期に着工することができる。また、壁体構造の施工においても、腹起やタイ材、又は、傾斜鋼矢板隔壁等により第１壁体８Ａ及び第２壁体８Ｂ間を連結する工程が不要となり、鋼矢板を打設後、中詰材を充填して、締め固めをするだけでよい。このため、極めて、短工期で壁体構造を構築できる。また、第１壁体８Ａ及び第２壁体８Ｂ間を連結する連結部材が無くなるため、中詰材１３の充填作業及び締固め作業が容易で、締固め品質も容易に確保できる。
【０１１０】
この結果、決壊した堤防の修復工事等、緊急を要する工事等を迅速に行うことができる。また、修復工事等の終了後の解体撤去も迅速に行うことができる。また、工期が短縮されるだけでなく、壁体構造１を構築するために使用する資材の種類も低減するため施工コストも低減できる。さらに、壁体構造１を解体撤去する際には、中詰材１３を排出したのち、壁体構成部材２を引き抜くだけでよいので、極めて短期間に解体撤去作業を行うことができる。
【０１１１】
また、図１２に示すように、鋼矢板６の雄継手６５及び雌継手６４の嵌合部の所定領域８Ｅ、例えば、少なくとも中詰材１３の上面よりも上部に存在（位置）する嵌合部に吸水性膨潤止水材による止水処理を施してもよい。この場合、止水処理により嵌合部からの漏水を防止することができる。
【０１１２】
また、本発明を適用した壁体構造１は、図３、１４〜１８に示すように、壁体構成部材２は、鋼矢板、鋼管矢板３、コンクリート製矢板５、及び、断面略矩形の箱型部材９１と直線形矢板９２とで構成される二重継手矢板９、の何れかで構成される。これにより、壁体構造１は、鋼矢板、鋼管矢板３、コンクリート製矢板５、及び、断面略矩形の箱型部材９１と該箱型部材９１の角部に設けられた直線形矢板９２とで構成される二重継手矢板９など既存の鋼製部材を用いて構築することができるので、施工工期及び施工コストが低減される。
【０１１３】
また、本発明を適用した壁体構造１は、図３、図１４〜１６、１８に示すように、壁体構成部材２は、軸芯方向Ｙに沿った両側端部のうち、壁幅方向Ｘで一方の側端部に雄継手を、壁幅方向Ｘで他方の側端部に雌継手を各々備える。複数の壁体構成部材２を壁幅方向Ｘに連結させて壁体８を構築する場合、互いに隣り合う一方の壁体構成部材２の雌継手、他方の壁体構成部材２の雄継手を嵌合させながら地盤に立設することを繰り返すことで、複数の壁体構成部材２を壁幅方向Ｘに容易に連結して壁体構造１を構成する壁体８を構築できる。
【０１１４】
また、本発明を適用した壁体構造１は、図４に示すように、壁体構成部材２は、他方の側端部に、雌継手６４が連続的又は断続的に設置されない区間Ｓ１を有する。これにより、壁体構成部材２の雌継手６４と雄継手６５との間で生じるせりを低減し、壁体構成部材２を地盤８０に容易に貫入することができ、複数の壁体構成部材２を壁幅方向Ｘに立設して壁体８を施工する際の施工速度、及び、施工精度が向上する。また、雌継手６４が設置されない区間を有するので、その分、壁体構成部材２の重量が軽くなり、取り扱いが容易となる。また、せりによる壁体構成部材２の変形や融着も抑制できるので、壁体構成部材２の再利用回数も多くなる。また、雌継手６４が連続的に設置されない第２区間Ｓ２が透水孔として機能するため透水孔を別途設ける手間が省ける。
【０１１５】
また、本発明を適用した壁体構造１は、壁体構成部材２の雌継手６４が連続的に設置されない第２区間Ｓ２を壁体構成部材２の他方の側端部の下端側に設けている。通常、曲げモーメントの少ない壁体構成部材２の下端側に発生する応力は小さいため、第２区間Ｓ２を壁体構成部材２の他方の側端部の下端側に有することで、雌継手６４がないことによる断面性能低下の影響を最小限とすることができる。
【０１１６】
また、本発明を適用した壁体構造１は、図１７に示すように、壁体８は、複数の鋼管杭４、及び、複数の鋼管杭４の間隙を閉塞する閉塞材４２で構成される。これにより、先行して立設された壁体構成部材２の雌継手に、後行して立設される壁体構成部材２の雄継手を嵌合させて地盤に立設させる必要がなくなり施工時間を短縮することができる。また、鋼管杭４を用いているので、最適な断面構成を有する壁体構造１とすることができる。
【０１１７】
また、本発明を適用した壁体構造１は、図８に示すように、中詰材１３は、上端位置が、壁体構成部材２の上端より低い。これにより、水平外力に抵抗する構造タイプの種類を豊富にすることができる。
【０１１８】
また、本発明を適用した壁体構造１は、図６に示すように、壁体構成部材２は、軸芯方向Ｙで所定の範囲、例えば、地下水流が存在する範囲に設けられた透水孔６Ｈを有する。
これにより、地下水の流れを阻害することがなく、周辺の地下環境に与える影響を低減することができる。
【０１１９】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならない。
【符号の説明】
【０１２０】
１      ：壁体構造
２      ：壁体構成部材
３      ：鋼管矢板（壁体構成部材）
３１    ：筒状本体部
３２    ：雌継手
３３    ：雄継手
４      ：鋼管杭（壁体構成部材）
４２    ：閉塞材（壁体構成部材）
５      ：コンクリート製矢板（壁体構成部材）
５１    ：凹部（窪み部）
５２    ：雄継手
５３    ：雌継手
５４    ：つり孔
５５    ：切欠部
６      ：ハット形鋼矢板（壁体構成部材）
６１    ：フランジ部
６２    ：ウェブ部
６３    ：アーム部
６４    ：雌継手
６５    ：雄継手
７      ：Ｕ形鋼矢板（壁体構成部材）
７１    ：フランジ部
７２    ：ウェブ部
７４    ：雌継手
７５    ：雄継手
８      ：壁体
８Ａ    ：第１壁体
８Ｂ    ：第２壁体
８Ｃ    ：根入部
８Ｄ    ：突出部
８Ｅ    ：所定領域
８０    ：水底地盤
８１    ：海水面
８２    ：上部コンクリート
８３    ：地下水位
８４    ：パイピングホール
８５    ：主動土圧
８６    ：受動土圧
９      ：二重継手矢板（壁体構成部材）
９１    ：箱型部材
９２    ：直線矢板
９３    ：雌継手
９４    ：雄継手
９５    ：仮想地盤
１３    ：中詰材
１３Ｓ  ：表面
１４    ：鋼矢板
１５    ：鋼矢板壁
１６    ：腹起
１７    ：連結部材
１８    ：中詰材
１９    ：壁体構造
Ａ      ：前面側
Ｂ      ：背面側
Ｘ      ：壁幅方向
Ｙ      ：軸芯方向
Ｚ      ：壁厚方向
【図１】
2018154997.tif 000003
【図２】
2018154997.tif 000004
【図３】
2018154997.tif 000005
【図４】
2018154997.tif 000006
【図５】
2018154997.tif 000007
【図６】
2018154997.tif 000008
【図７】
2018154997.tif 000009
【図８】
2018154997.tif 000010
【図９】
2018154997.tif 000011
【図１０】
2018154997.tif 000012
【図１１】
2018154997.tif 000013
【図１２】
2018154997.tif 000014
【図１３】
2018154997.tif 000015
【図１４】
2018154997.tif 000016
【図１５】
2018154997.tif 000017
【図１６】
2018154997.tif 000018
【図１７】
2018154997.tif 000019
【図１８】
2018154997.tif 000020
【図１９】
2018154997.tif 000021
【図２０】
2018154997.tif 000022
【図２１】
2018154997.tif 000023
【図２２】
2018154997.tif 000024
【図２３】
2018154997.tif 000025